(57)【要約】【課題】利用シーンに応じた様々な演出に利用することができる演出装置の提供に資する。【解決手段】演出装置は、制御信号を出力する第１出力端子を有する制御ユニットと、制御信号が入力される第１入力端子を有し、制御ユニットに対して積層による取り付け及び取り外しに対応した第１から第Ｎの発光ユニットと、を備える。制御信号は、第１から第Ｎの発光ユニットに対して、積層された順に、電気的なシリアル接続によって、伝達される。【選択図】図１
2019154649.tif 000002
【特許請求の範囲】
【請求項１】
制御信号を出力する第１出力端子を有する制御ユニットと、
前記制御信号が入力される第１入力端子を有し、前記制御ユニットに対して積層による取り付け及び取り外しに対応した第１から第Ｎ（Ｎは１以上の整数）の発光ユニットと、を備え、
前記制御信号は、前記第１から前記第Ｎの発光ユニットに対して、積層された順に、電気的なシリアル接続によって、伝達される、
演出装置。
【請求項２】
前記積層された前記第１から前記第Ｎの発光ユニットのそれぞれは、アドレス情報を前記制御ユニットに送信し、
前記制御ユニットは、前記第１から前記第Ｎの発光ユニットの前記アドレス情報に基づいて、前記積層された前記第１から前記第Ｎの発光ユニットの個数を判断する、
請求項１に記載の演出装置。
【請求項３】
前記第１から前記第Ｎの発光ユニットの少なくとも１つの発光状態が、前記個数に基づいた前記制御信号を用いて制御される、
請求項２に記載の演出装置。
【請求項４】
前記積層された前記第１から前記第Ｎの発光ユニットのうち、少なくとも前記第１から第Ｎ−１の発光ユニットは、前記制御信号を出力する第２出力端子を有し、
前記積層された前記第１から前記第Ｎ−１の発光ユニットの前記第１入力端子と前記第２出力端子とは、前記積層の方向に対して、同じ軸上に配置されている、
請求項１から請求項３のいずれか１項に記載の演出装置。
【請求項５】
前記第１から前記第Ｎの発光ユニットの少なくとも１つは、前記積層の方向に軸を有する円柱形状を備える、
請求項１から請求項４のいずれか１項に記載の演出装置。
【請求項６】
前記演出装置は、ろうそくを模した外観を有する、
請求項１から請求項５のいずれか１項に記載の演出装置。
【請求項７】
前記制御ユニットは、
前記第１から前記第Ｎの発光ユニットの少なくとも１つの発光状態を制御するパターンを示す情報を受信する無線部と、
前記パターンを示す情報に基づいて前記制御信号を生成して前記第１出力端子から出力する制御信号生成部と、
を備えた、
請求項１から請求項６のいずれか１項に記載の演出装置。
【請求項８】
前記制御ユニット、または、前記第１から第Ｎの発光ユニットのいずれかに積層され、演出装置周辺の環境をセンシングするセンサユニットを備え、
前記制御ユニットは、前記センサユニットにおけるセンシング結果に基づいて、前記制御信号を生成する、
請求項１から７のいずれか１項に記載の演出装置。
【発明の詳細な説明】
【技術分野】
【０００１】
本開示は、演出装置に関する。
【背景技術】
【０００２】
近年、スタジアム、ホールといった、多くの観客を収容する施設で開催されるイベントでは、観客が所有する演出装置によって、臨場感を与える演出が行われている。また、例えば、結婚式場では、式場に備え付けられた演出装置によって、様々な演出が行われている。
【０００３】
例えば、特許文献１では、ろうそく型の構造を有し、ろうそくの炎をＬＥＤ（Light Emitting Diode）ライトによって再現する演出装置が開示されている。
【先行技術文献】
【特許文献】
【０００４】
【特許文献１】米国特許第８０７０３１９号明細書
【発明の概要】
【発明が解決しようとする課題】
【０００５】
しかしながら、特許文献１に開示された構造では、利用シーンが限られ、利用シーン（及び／又はユースケース）に応じた様々な演出に利用することが困難であった。
【０００６】
本開示の非限定的な実施例は、利用シーンに応じた様々な演出に利用することができる演出装置の提供に資する。
【課題を解決するための手段】
【０００７】
本開示の一態様に係る演出装置は、制御信号を出力する第１出力端子を有する制御ユニットと、前記制御信号が入力される第１入力端子を有し、前記制御ユニットに対して積層による取り付け及び取り外しに対応した第１から第Ｎ（Ｎは１以上の整数）の発光ユニットと、を備え、前記制御信号は、前記第１から前記第Ｎの発光ユニットに対して、積層された順に、電気的なシリアル接続によって、伝達される。
【０００８】
なお、これらの包括的または具体的な態様は、システム、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、利用シーンに応じた様々な演出に利用することができる演出装置の提供に資する。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】本開示の実施の形態１に係る演出装置の構成の一例を示す図
【図２】本開示の実施の形態１に係る演出制御部の構成の一例を示す図
【図３】本開示の実施の形態１に係る演出制御部の外観の一例を示す斜視図
【図４】本開示の実施の形態１に係る演出制御部の外観の一例を示す上面図
【図５】本開示の実施の形態１に係る第１の発光部の構成の一例を示す図
【図６】本開示の実施の形態１に係る第１の発光部の外観の一例を示す上面図
【図７】本開示の実施の形態１に係る第１の発光部の外観の一例を示す下面図
【図８】本開示の実施の形態１に係る第１の発光部の外観の一例を示す側面図
【図９】本開示の実施の形態１に係る第２の発光部の構成の一例を示す図
【図１０】本開示の実施の形態１に係る第２の発光部の外観の一例を示す下面図
【図１１】本開示の実施の形態１に係る演出装置の接続状態の一例を示す図
【図１２】本開示の実施の形態１における制御データの一例を示す図
【図１３】本開示の実施の形態１に係る演出システムの一例を示す図
【図１４】本開示の実施の形態１におけるアクセスポイントの構成の一例を示す図
【図１５】本開示の実施の形態１における発光部情報通知パケットの一例を示す図
【図１６】本開示の実施の形態１における制御パケットの構成の一例を示す図
【図１７】本開示の実施の形態１に係る演出装置の構成の別の一例を示す図
【図１８】本開示の実施の形態１に係る演出装置の構成の別の一例を示す図
【図１９】本開示の実施の形態２に係る演出装置の構成の一例を示す図
【図２０】本開示の実施の形態２に係る演出制御部の構成の一例を示す図
【図２１】本開示の実施の形態２におけるセンサ制御部の構成の一例を示す図
【発明を実施するための形態】
【００１２】
以下、本開示の実施の形態について、図面を参照して詳細に説明する。なお、以下に説明する各実施形態は一例であり、本開示はこれらの実施形態により限定されるものではない。
【００１３】
（実施の形態１）
本開示の実施の形態１について、図面を参照して詳細に説明する。
【００１４】
図１は、本実施の形態１に係る演出装置１０の構成の一例を示す図である。演出装置１０は、例えば、演出制御部１１と、第１の発光部１２Ａ及び第１の発光部１２Ｂと、第２の発光部１３と、を備える。
【００１５】
なお、図１には、上下方向を規定する矢印が示される。以下の説明において、上下方向は、図１の矢印によって示される方向である。図１の矢印の上下方向に基づいた説明では、演出制御部１１の上に第１の発光部１２Ａが積層によって取り付けられ、第１の発光部１２Ａの上に第１の発光部１２Ｂが積層によって取り付けられ、第１の発光部１２Ｂの上に第２の発光部１３が積層によって取り付けられている。図１の矢印によって示される方向は、積層方向と称されてもよい。
【００１６】
演出装置１０は、例えば、据え置きで使用するろうそく型のＬＥＤライトである。第１の発光部１２Ａ及び第１の発光部１２Ｂは、それぞれ、積層方向を軸とする円柱形状の胴体を有する。第１の発光部１２Ａ及び第１の発光部１２Ｂでは、円柱の側面が発光する。第２の発光部１３は、円柱形状の胴体と、その胴体の上にろうそくの炎の形状を模した頭部１３ａと、を有する。第２の発光部１３では、例えば、頭部１３ａが発光する。
【００１７】
なお、第１の発光部１２Ａと第１の発光部１２Ｂは同一の構成である。第１の発光部１２Ａと第１の発光部１２Ｂを区別しない場合、第１の発光部１２と称されてもよい。また、第１の発光部１２と第２の発光部１３とを区別することなく、発光部と称されてもよい。
【００１８】
また、演出制御部（演出制御回路）１１は、演出制御デバイス、演出制御ユニット、または、制御ユニットと称されてもよい。発光部は、発光デバイス、または、発光ユニットと称されてもよい。第１の発光部１２は、第１の発光デバイス、または、第１の発光ユニットと称されてもよい。第２の発光部１３は、第２の発光デバイス、または、第２の発光ユニットと称されてもよい。
【００１９】
また、演出制御部１１は、発光部が取り付けられるドッキングステーションと称されてもよい。
【００２０】
次に、演出装置１０に含まれる、演出制御部１１、第１の発光部１２及び第２の発光部１３をそれぞれ説明する。
【００２１】
＜演出制御部１１＞
図２は、本実施の形態１に係る演出制御部１１の構成の一例を示す図である。演出制御部１１は、無線部（無線回路）１１１、制御部（制御回路）１１２、端末ＩＤ保持部（端末ＩＤ保持回路）１１３、電源部（電源回路）１１４及び出力部（出力端子）１１５を備える。
【００２２】
無線部１１１は、アンテナおよび信号処理部を備える。無線部１１１は、制御部１１２の制御に基づき、制御装置（例えば、後述するアクセスポイント（ＡＰ：Access Point）２０（図１３参照））と無線通信を行う。無線部１１１は、例えば、特定省電力通信、無線ＬＡＮ（Local Area Network）、Bluetooth（登録商標）の通信規格または通信方式に対応する。あるいは、無線部１１１は、Bluetoothの通信規格よりも広いエリアをカバーするＬＰＷＡ（Low Power Wide Area）、ＬｏＲａ、ＮＢ−ＩｏＴ（Narrow Band-Internet of Things）及びＳｉｇｆｏｘ、または、セルラ通信のいずれかの通信規格に対応してもよい。
【００２３】
制御部１１２は、無線部１１１、端末ＩＤ保持部１１３及び出力部１１５を制御する。
【００２４】
例えば、制御部１１２は、演出装置１０に備えられた第１の発光部１２及び第２の発光部１３の数を把握するため、第１の発光部１２及び第２の発光部１３に対して、数量確認用の制御コマンド（以下、数量確認用制御コマンドと記載する）を出力する。例えば、制御部１１２は、第１の発光部１２及び第２の発光部１３からの応答がなくなるまで、数量確認用制御コマンドを順に出力する。制御部１１２が数量確認用制御コマンドの出力を開始するタイミングは、例えば、演出装置１０が起動した後のタイミング、または、アクセスポイントから発光部情報収集パケットを受信したタイミングである。なお、演出装置１０は、例えば、ユーザによる電源投入、または、アクセスポイントからの遠隔制御による電源投入によって起動される。
【００２５】
なお、数量確認用制御コマンドに対する処理の一例及び発光部情報収集パケットの一例については、後述する。
【００２６】
例えば、制御部１１２は、演出装置１０が起動した後、電源部１１４から供給される電源を無線部１１１及び端末ＩＤ保持部１１３へ供給する。また、制御部１１２は、出力部１１５を通じて、第１の発光部１２Ａ、第１の発光部１２Ｂ及び第２の発光部１３に電源を供給する。
【００２７】
また、例えば、制御部１１２は、無線部１１１を介して、演出装置１０を制御する制御データを含む制御パケットを取得し、制御データに含まれる演出パターンに基づいて演出装置１０を制御する。具体的には、制御部１１２は、出力部１１５を介して制御データを含む制御信号を出力し、第１の発光部１２Ａ、第１の発光部１２Ｂ、及び、第２の発光部１３を制御する。
【００２８】
なお、制御データおよび制御パケットの一例については、後述する。
【００２９】
端末ＩＤ保持部１１３は、演出装置１０に固有の識別子（ＩＤ：Identification）を保持する。演出装置１０の固有ＩＤは、例えば、ＭＡＣ（Media Access Control）アドレス、デバイスアドレス、および、デバイスＩＤのいずれか少なくとも１つである。なお、端末ＩＤ保持部１１３は、いくつかの演出装置１０を含むグループに対して割り当てられるグループＩＤを保持してもよい。グループＩＤは、例えば、制御装置（例えば、後述するアクセスポイント（ＡＰ：Access Point）２０（図１３参照））から割り当てられる。
【００３０】
電源部１１４は、例えば、制御部１１２に電源を供給する。電源部１１４は、例えば、演出装置１０の内部に搭載される電池である。なお、電源部１１４は、電池に限らず、太陽電池および／またはエナジーハーベスティングを用いてもよい。
【００３１】
出力部１１５は、制御部１１２から取得する制御信号を、後述する第１の発光部１２Ａに出力する。出力部１１５は、後述する第１の発光部１２Ａの入力部１２１と接続する。なお、出力部１１５と入力部１２１の間の信号の入出力では、シリアル通信および／またはＩ２Ｃなどの通信方式が用いられてもよい。
【００３２】
なお、出力部１１５は、後述する第２の発光部１３の入力部１３１と接続してもよい。また、出力部１１５と入力部１３１の間の信号の入出力では、シリアル通信および／またはＩ２Ｃなどの通信方式が用いられてもよい。
【００３３】
また、出力部１１５は、信号の出力と信号の入力を行う端子であってもよい。また、出力部１１５は、演出制御部１１（制御ユニット）が有する出力端子と称されてもよい。
【００３４】
次に、演出制御部１１の外観の一例について説明する。図３は、本実施の形態１に係る演出制御部１１の外観の一例を示す斜視図である。図４は、本実施の形態１に係る演出制御部１１の外観の一例を示す上面図である。
【００３５】
演出制御部１１は、円形を有する底部Ｂ０と、底部Ｂ０の円形よりも小さい円形を有する上部Ｔ０と、上部Ｔ０と底部Ｂ０とを滑らかにつなぐ側面Ｓ０とを含む筐体を有する。
【００３６】
上部Ｔ０には、出力部１１５が突出している。また、上部Ｔ０の縁には、３つのツメＮａと、ガイド受けＧｂが設けられる。ツメＮａは、後述する発光部の底部に設けられるツメ受けＮｂに、嵌め込まれる。また、ガイド受けＧｂは、後述する発光部の底部に設けられるガイドＧａに、嵌め込まれる。
【００３７】
＜第１の発光部１２＞
図５は、本実施の形態１に係る第１の発光部１２の構成の一例を示す図である。第１の発光部１２は、入力部（入力端子）１２１、発光制御部（発光制御回路）１２２、アドレス保持部（アドレス保持回路）１２３、ＬＥＤ部（ＬＥＤ回路）１２４及び出力部（出力端子）１２５を備える。
【００３８】
入力部１２１は、演出制御部１１又は第１の発光部１２から制御データを含む制御信号を取得し、発光制御部１２２へ出力する。なお、入力部１２１は、信号の入力と信号の出力を行う端子であってもよい。また、入力部１２１は、第１の発光部１２が有する入力端子と称されてもよい。
【００３９】
アドレス保持部１２３は、第１の発光部１２を示すアドレスを保持する。例えば、第１の発光部１２Ａのアドレス保持部１２３は、第１の発光部１２Ａのアドレスを保持し、第１の発光部１２Ｂのアドレス保持部１２３は、第１の発光部１２Ｂのアドレスを保持する。
【００４０】
なお、アドレス保持部１２３が保持するアドレスは、第１の発光部１２に対して一意に決められている固有識別子であってもよいし、あるいは、演出装置１０のユーザが任意に設定した識別子であってもよい。
【００４１】
また、アドレス保持部１２３が保持するアドレスは、数量確認用制御コマンドに対して応答を行った後に、演出制御部１１から割り当てられた識別子でもよい。
【００４２】
発光制御部１２２は、入力部１２１から取得した制御データに含まれるアドレスと、アドレス保持部１２３から取得したアドレスが一致している場合、制御データに含まれる、一致したアドレスに対応する発光情報に基づいて、ＬＥＤ部１２４の発光パターンを制御する。
【００４３】
発光制御部１２２は、アドレスの一致に関わらず、入力部１２１から取得した制御データを出力部１２５へ出力する。
【００４４】
発光制御部１２２は、演出制御部１１又は第１の発光部１２から供給される電源を、アドレス保持部１２３及びＬＥＤ部１２４へ供給する。また、発光制御部１２２は、出力部１２５に他の入力部（例えば、第１の発光部１２の入力部１２１又は第２の発光部１３の入力部１３１）が接続されている場合、出力部１２５を介して、接続先へ電源を供給する。
【００４５】
出力部１２５は、発光制御部１２２から取得した制御データを含む制御信号を出力する。なお、出力部１２５は、信号の出力と信号の入力を行う端子であってもよい。また、出力部１２５は、第１の発光部１２が有する出力端子と称されてもよい。
【００４６】
次に、第１の発光部１２の外観の一例について説明する。図６は、本実施の形態１に係る第１の発光部１２の外観の一例を示す上面図である。図７は、本実施の形態１に係る第１の発光部１２の外観の一例を示す下面図である。図８は、本実施の形態１に係る第１の発光部１２の外観の一例を示す側面図である。
【００４７】
第１の発光部１２は、積層方向に軸を有する円柱形状を備える。例えば、第１の発光部１２は、円形の底部Ｂ１と、底部Ｂ１と同じサイズの円形の上部Ｔ１と、上部Ｔ１と底部Ｂ１とをつなぐ側面Ｓ１とを含む筐体を有する。
【００４８】
上部Ｔ１には、出力部１２５が突出している。また、上部Ｔ１の縁には、３つのツメＮａと、ガイド受けＧｂが設けられる。ツメＮａは、第１の発光部１２の底部Ｂ１に設けられるツメ受けＮｂ、または、後述する第２の発光部１３の底部に設けられるツメ受けＮｂに、嵌め込まれる。また、ガイド受けＧｂは、第１の発光部１２の底部Ｂ１に設けられるガイドＧａ、または、後述する第２の発光部１３の底部に設けられるガイドＧａに、嵌め込まれる。
【００４９】
底部Ｂ１には、入力部１２１が突出している。また、底部Ｂ１の縁には、ツメ受けＮｂと、ガイドＧａが設けられる。ツメ受けＮｂは、第１の発光部１２の上部Ｔ１に設けられるツメＮａ、または、演出制御部１１の上部Ｔ０に設けられるツメＮａに、嵌め込まれる。また、ガイドＧａは、第１の発光部１２の上部Ｔ１に設けられるガイド受けＧｂ、または、演出制御部１１の上部Ｔ０に設けられるガイド受けＧｂに、嵌め込まれる。
【００５０】
また、底部Ｂ１には、アドレス保持部１２３が設けられている。なお、図７に示すアドレス保持部１２３は、ユーザによって操作可能な位置に設けられ、複数のスイッチを含む。ユーザが、複数のスイッチそれぞれを切替えて、アドレスを設定する。なお、アドレス保持部１２３が、ユーザによって操作可能でなくてもよい。例えば、アドレス保持部１２３が第１の発光部１２に対して一意に決められている固有識別子の場合、アドレス保持部１２３は底部Ｂ１に設けられていなくてもよい。
【００５１】
側面Ｓ１は、透光性の材料によって形成される。ＬＥＤ部１２４が発光し、側面Ｓ１が光を透過することによって、側面Ｓ１が発光する。
【００５２】
例えば、第１の発光部１２の底部Ｂ１と、演出制御部１１の上部Ｔ０とを対向させ、入力部１２１と出力部１１５とを接続することによって、演出制御部１１に対して第１の発光部１２が取り付けられる。なお、取り付けられた第１の発光部１２は、演出制御部１１から取り外し可能である。
【００５３】
例えば、第１の発光部１２（例えば、第１の発光部１２Ｂ）の底部Ｂ１と、別の第１の発光部１２（例えば、第１の発光部１２Ａ）の上部Ｔ１とを対向させ、第１の発光部１２Ｂの入力部１２１と第１の発光部１２Ａの出力部１１５とを接続することによって、第１の発光部１２Ａに対して第１の発光部１２Ｂが取り付けられる。なお、取り付けられた第１の発光部１２Ｂは、第１の発光部１２Ａから取り外し可能である。
【００５４】
＜第２の発光部１３＞
図９は、本実施の形態１に係る第２の発光部１３の構成の一例を示す図である。第２の発光部１３は、入力部１３１、発光制御部１３２、アドレス保持部１３３及びＬＥＤ部１３４を備える。
【００５５】
入力部１３１は、演出制御部１１又は第１の発光部１２から制御データを含む制御信号を取得し、発光制御部（発光制御回路）１３２へ出力する。なお、入力部（入力端子）１３１は、信号の入力と信号の出力を行う端子であってもよい。また、入力部１３１は、第２の発光部１３が有する入力端子と称されてもよい。
【００５６】
アドレス保持部（アドレス保持回路）１３３は、第２の発光部１３を示すアドレスを保持する。
【００５７】
なお、アドレス保持部１２３が保持するアドレスは、第２の発光部１３に対して一意に決められている固有識別子であってもよいし、あるいは、演出装置１０のユーザが任意に設定した識別子であってもよい。
【００５８】
また、アドレス保持部１３３が保持するアドレスは、数量確認用制御コマンドに対して応答を行った後に、演出制御部１１から割り当てられた識別子でもよい。
【００５９】
発光制御部１３２は、入力部１３１から取得した制御データに含まれるアドレスと、アドレス保持部１３３から取得したアドレスが一致している場合、制御データに含まれる、一致したアドレスに対応する発光情報に基づいて、ＬＥＤ部１３４の発光パターンを制御する。
【００６０】
発光制御部１３２は、演出制御部１１又は第１の発光部１２から供給される電源を、アドレス保持部１３３及びＬＥＤ部１３４へ供給する。
【００６１】
次に、第２の発光部１３の外観の一例について説明する。図１０は、本実施の形態１に係る第２の発光部１３の外観の一例を示す下面図である。
【００６２】
底部Ｂ２には、入力部１３１が突出している。また、底部Ｂの縁には、ツメ受けＮｂと、ガイドＧａが設けられる。ツメ受けＮｂは、第１の発光部１２の上部に設けられるツメＮａ、または、演出制御部１１の上部に設けられるツメＮａに、嵌め込まれる。また、ガイドＧａは、第１の発光部１２の上部に設けられるガイド受けＧｂ、または、演出制御部１１の上部に設けられるガイド受けＧｂに、嵌め込まれる。
【００６３】
例えば、第２の発光部１３の底部Ｂ２と、演出制御部１１の上部Ｔ０とを対向させ、入力部１３１と出力部１１５とを接続することによって、演出制御部１１に対して第２の発光部１３が取り付けられる。なお、取り付けられた第２の発光部１３は、演出制御部１１から取り外し可能である。
【００６４】
例えば、第２の発光部１３の底部Ｂ２と、第１の発光部１２の上部Ｔ１とを対向させ、入力部１３１と出力部１２５とを接続することによって、第１の発光部１２に対して第２の発光部１３が取り付けられる。なお、取り付けられた第２の発光部１３は、第１の発光部１２から取り外し可能である。
【００６５】
＜演出装置１０＞
図１１は、本実施の形態１に係る演出装置１０の接続状態の一例を示す図である。図１１に示す演出装置１０は、演出制御部１１、第１の発光部１２および第２の発光部１３を、図１に示したように接続した例である。
【００６６】
なお、以下の説明において、第１発光部１２Ａに含まれる各機能ブロックを、入力部１２１Ａ、発光制御部１２２Ａ、アドレス保持部１２３Ａ、ＬＥＤ部１２４Ａ、及び、出力部１２５Ａと称されてもよい。また、そして、第１発光部１２Ｂに含まれる各機能ブロックを、入力部１２１Ｂ、発光制御部１２２Ｂ、アドレス保持部１２３Ｂ、ＬＥＤ部１２４Ｂ、及び、出力部１２５Ｂと称されてもよい。
【００６７】
図１１の例では、各発光部（発光ユニット）が、演出制御部１１（制御ユニット）に対して積層により取り付けられている。そして、演出制御部１１の出力部１１５と、第１の発光部１２Ａの入力部１２１Ａとが接続され、第１の発光部１２Ａの出力部１２５Ａと、第１の発光部１２Ｂの入力部１２１Ｂとが接続され、第１の発光部１２Ｂの出力部１２５Ｂと、第２の発光部１３の入力部１３１とが接続される。各入力部と各出力部が接続され、電気的なシリアル接続（縦続接続）が形成される。
【００６８】
例えば、第１の発光部１２Ａの入力部１２１Ａと出力部１２５Ａと、第１の発光部１２Ｂの入力部１２１Ｂと出力部１２５Ａと、第２の発光部１３の入力部１３１とは、積層の方向に対して、同じ軸上に配置されている。入力部と出力部が同じ軸上に配置することにより、演出装置１０を強固な構造とすることができ、また、配線長を短縮することができる。
【００６９】
例えば、図１１の演出装置１０において、演出制御部１１の制御部１１２は、第１の発光部１２及び第２の発光部１３の数を把握するため、第１の発光部１２および第２の発光部１３に対して、数量確認用の制御コマンドを出力する。
【００７０】
また、例えば、図１１の演出装置１０において、演出制御部１１の無線部１１１が、例えば、アクセスポイント（ＡＰ：Access Point）から制御パケットを受信する。そして、制御部１１２は、受信した制御パケットに含まれる制御データを、出力部１１５を介して、第１の発光部１２Ａに出力する。
【００７１】
以下では、演出装置１０における数量確認用制御コマンドに対する処理の一例、および、制御データと制御データに対する各発光部の処理の一例について説明する。
【００７２】
＜数量確認用制御コマンドに対する処理＞
図１１の演出装置１０において、制御部１１２は、第１の発光部１２Ａの発光制御部１２２Ａに対して、数量確認用制御コマンド（第１の数量確認用制御コマンド）を出力する。
【００７３】
発光制御部１２２Ａは、制御部１１２から数量確認用制御コマンドを取得する。発光制御部１２２Ａは、制御部１１２に対して、アドレス保持部１２３Ａに保持されるアドレスおよび種別情報を含む応答を出力する。種別情報とは、発光部が第１の発光部１２または第２の発光部１３のいずれであるかを示す。例えば、発光制御部１２２Ａが出力する応答に含まれる種別情報は、第１の発光部１２であることを示す。
【００７４】
発光制御部１２２Ａは、数量確認用制御コマンドに対する応答が完了したことを示す情報を保持する。
【００７５】
制御部１１２は、発光制御部１２２Ａから、数量確認用制御コマンドに対する応答を取得する。制御部１１２は、応答に含まれる第１の発光部１２Ａのアドレスと種別情報を保持する。制御部１１２は、発光制御部１２２Ａに対して、次の数量確認用制御コマンド（第２の数量確認用制御コマンド）を出力する。
【００７６】
発光制御部１２２Ａは、制御部１１２から数量確認用制御コマンドを取得する。発光制御部１２２Ａは、数量確認用制御コマンドに対する応答が完了しているため、第１の発光部１２Ｂの発光制御部１２２Ｂに対して、数量確認用制御コマンドを出力する。
【００７７】
発光制御部１２２Ｂは、発光制御部１２２Ａから数量確認用制御コマンドを取得する。発光制御部１２２Ｂは、発光制御部１２２Ａに対して、アドレス保持部１２３Ｂに保持されるアドレスおよび種別情報を含む応答を出力する。例えば、発光制御部１２２Ｂが出力する応答に含まれる種別情報は、第１の発光部１２であることを示す。
【００７８】
発光制御部１２２Ｂは、数量確認用制御コマンドに対する応答が完了したことを示す情報を保持する。
【００７９】
発光制御部１２２Ａは、発光制御部１２２Ｂから数量確認用制御コマンドに対する応答を取得し、取得した応答を制御部１１２に対して出力する。
【００８０】
制御部１１２は、発光制御部１２２Ａから、数量確認用制御コマンドに対する応答を取得する。制御部１１２は、応答に含まれる第１の発光部１２Ｂのアドレスと種別情報を保持する。制御部１１２は、発光制御部１２２Ａに対して、次の数量確認用制御コマンド（第３の数量確認用制御コマンド）を出力する。
【００８１】
発光制御部１２２Ａは、制御部１１２から数量確認用制御コマンドを取得する。発光制御部１２２Ａは、数量確認用制御コマンドに対する応答が完了しているため、第１の発光部１２Ｂの発光制御部１２２Ｂに対して、数量確認用制御コマンドを出力する。
【００８２】
発光制御部１２２Ｂは、発光制御部１２２Ａから数量確認用制御コマンドを取得する。発光制御部１２２Ｂは、数量確認用制御コマンドに対する応答が完了しているため、第２の発光部１３の発光制御部１３２に対して、数量確認用制御コマンドを出力する。
【００８３】
発光制御部１３２は、発光制御部１２２Ｂから数量確認用制御コマンドを取得する。発光制御部１３２は、発光制御部１２２Ｂに対して、アドレス保持部１３３に保持されるアドレスおよび種別情報を含む応答を出力する。例えば、発光制御部１３２が出力する応答に含まれる種別情報は、第２の発光部１３であることを示す。
【００８４】
発光制御部１３２は、数量確認用制御コマンドに対する応答が完了したことを示す情報を保持する。
【００８５】
発光制御部１２２Ｂは、発光制御部１３２から数量確認用制御コマンドに対する応答を取得し、取得した応答を発光制御部１２２Ａに対して出力する。発光制御部１２２Ａは、発光制御部１２２Ｂから数量確認用制御コマンドに対する応答を取得し、取得した応答を制御部１１２に対して出力する。
【００８６】
制御部１１２は、発光制御部１２２Ａから、数量確認用制御コマンドに対する応答を取得する。制御部１１２は、応答に含まれる第２の発光部１３のアドレスと種別情報を保持する。制御部１１２は、発光制御部１２２Ａに対して、次の数量確認用制御コマンド（第４の数量確認用制御コマンド）を出力する。
【００８７】
発光制御部１２２Ａは、数量確認用制御コマンドに対する応答が完了しているため、第１の発光部１２Ｂの発光制御部１２２Ｂに対して、数量確認用制御コマンドを出力する。発光制御部１２２Ｂは、数量確認用制御コマンドに対する応答が完了しているため、第２の発光部１３の発光制御部１３２に対して、数量確認用制御コマンドを出力する。発光制御部１３２は、数量確認用制御コマンドに対する応答が完了しているため、取得した数量確認用制御コマンドに対する応答を行わない。例えば、発光制御部１３２は、取得した数量確認用制御コマンドを破棄する。
【００８８】
制御部１１２は、第１から第３の数量確認用制御コマンドに対する応答を取得し、第４の数量確認用制御コマンドに対する応答を取得しない。この場合、制御部１１２は、演出装置１０に含まれる発光部の数が３であると把握する。また、制御部１１２は、演出装置１０において、演出制御部１１に近い方から順に、第１の数量確認用制御コマンドに対する応答を行った発光部、第２の数量確認用制御コマンドに対する応答を行った発光部、および、第３の数量確認用制御コマンドに対する応答を行った発光部が接続されている、と把握する。
【００８９】
このように、制御部１１２は、発光部からの応答がなくなるまで数量確認用制御コマンドを順に出力する。発光部は、それぞれ、数量確認用制御コマンドに対する応答を制御部１１２に送信する。制御部１１２は、発光部から取得する数量確認用制御コマンドに対する応答に基づいて、演出装置１０において積層された発光部の数、発光部の接続順、各発光部のアドレス、および、各発光部の種別を把握する。
【００９０】
なお、制御部１１２が、数量確認用制御コマンドを出力することによって把握する発光部に関する情報は、発光部の数、発光部の接続順、各発光部のアドレス、および、各発光部の種別に限定されない。例えば、発光部に関する情報は、発光部の数、発光部の接続順、各発光部のアドレス、および、各発光部の種別のいずれか少なくとも１つであってもよい。また、数量確認用制御コマンドに対する応答には、少なくともアドレスが含まれていれば、種別情報が含まれていなくてもよい。
【００９１】
＜制御データと各発光部における処理＞
図１２は、本実施の形態１における制御データＰ１の一例を示す図である。図１２の制御データＰ１は、図１１に示した演出装置１０を制御するデータを含む。
【００９２】
制御データＰ１は、発光部ＩＤフィールドＰ１１と、発光情報フィールドＰ１２のペア（以下、フィールドペアと記載してもよい）を含む。制御データＰ１には、複数のフィールドペアが含まれる。フィールドペアの数は、演出装置１０が備える第１の発光部１２と第２の発光部１３の数によって決められる。例えば、図１２の制御データＰ１は、図１１に示した、２つの第１の発光部１２と、１つの第２の発光部１３とを有する演出装置１０を制御するため、フィールドペアの数は、３である。
【００９３】
以下、説明の便宜上、１つ目のフィールドペアの各フィールドを、発光部ＩＤフィールドＰ１１Ａおよび発光情報フィールドＰ１２Ａと称し、２つ目のフィールドペアの各フィールドを、発光部ＩＤフィールドＰ１１Ｂおよび発光情報フィールドＰ１２Ｂと称し、３つ目のフィールドペアの各フィールドを、発光部ＩＤフィールドＰ１１Ｃおよび発光情報フィールドＰ１２Ｃと称する。
【００９４】
発光部ＩＤフィールドＰ１１Ａ及び発光情報フィールドＰ１２Ａは、第１の発光部１２Ａに対応する情報を含み、発光部ＩＤフィールドＰ１１Ｂ及び発光情報フィールドＰ１２Ｂは第１の発光部１２Ｂに対応する情報を含み、発光部ＩＤフィールドＰ１１Ｃ及び発光情報フィールドＰ１２Ｃは第２の発光部１３に対応する情報を含む。
【００９５】
発光部ＩＤフィールドＰ１１には、発光部のアドレスが含まれる。例えば、発光部ＩＤフィールドＰ１１Ａ、Ｐ１１ＢおよびＰ１１Ｃには、それぞれ、第１の発光部１２Ａのアドレス、第１の発光部１２Ｂのアドレス、および、第２の発光部１３のアドレスが含まれる。
【００９６】
発光情報フィールドＰ１２には、フィールドペアにおいて対となる発光部ＩＤフィールドが示す発光部の色、発光パターン、および、輝度等の発光状態を制御する発光情報が含まれる。例えば、発光情報フィールドＰ１２Ａには、第１の発光部１２Ａの発光状態を制御する発光情報が含まれる。例えば、発光情報フィールドＰ１２Ｂには、第１の発光部１２Ｂの発光状態を制御する発光情報が含まれる。例えば、発光情報フィールドＰ１２Ｃには、第２の発光部１３の発光状態を制御する発光情報が含まれる。
【００９７】
第１の発光部１２Ａの発光制御部１２２Ａは、入力部１２１Ａから取得した制御データＰ１からアドレス保持部１２３Ａが保持するアドレスに一致するアドレスを含む発光部ＩＤフィールドを探索する。
【００９８】
本実施の形態では、アドレス保持部１２３Ａが保持するアドレスが、発光部ＩＤフィールドＰ１１Ａに含まれるアドレスと一致するため、発光制御部１２２Ａは、発光情報フィールドＰ１２Ａに含まれる発光情報に基づいて、ＬＥＤ部１２４Ａの発光状態を制御する。発光制御部１２２Ａは、制御データＰ１を出力部１２５Ａに出力する。
【００９９】
なお、アドレス保持部１２３Ａが保持するアドレスに一致するアドレスを含む発光部ＩＤフィールドＰ１１が存在しない場合、発光制御部１２２Ａは、ＬＥＤ部１２４Ａを制御せずに、制御データＰ１を出力部１２５Ａに出力する。
【０１００】
同様に、第１の発光部１２Ｂの制御部１２２Ｂは、入力部１２１Ｂから取得した制御データＰ１からアドレス保持部１２３Ｂが保持するアドレスと一致する発光部ＩＤフィールドを探索する。
【０１０１】
本実施の形態では、発光部ＩＤフィールドＰ１１Ｂと一致するため、制御部１２２Ｂは、発光情報フィールドＰ１２Ｂに含まれる発光情報に基づいて、ＬＥＤ部１２４Ｂを制御する。発光制御部１２２Ｂは、制御データＰ１を出力部１２５Ｂに出力する。
【０１０２】
なお、アドレス保持部１２３Ｂが保持するアドレスに一致するアドレスを含む発光部ＩＤフィールドＰ１１が存在しない場合、発光制御部１２２Ｂは、ＬＥＤ部１２４Ｂを制御せずに、制御データＰ１を出力部１２５Ｂに出力する。
【０１０３】
同様に、第２の発光部１３の発光制御部１３２は、入力部１３１から受信した制御データＰ１からアドレス保持部１３３が保持するアドレスと一致するアドレスを含む発光部ＩＤフィールドを探索する。
【０１０４】
本実施の形態では、発光部ＩＤフィールドＰ１１Ｃと一致するため、発光制御部１３２は、発光情報フィールドＰ１２Ｃに記載された発光情報に基づいてＬＥＤ部１３４を制御する。
【０１０５】
なお、アドレス保持部１３３が保持するアドレスに一致するアドレスを含む発光部ＩＤフィールドＰ１１が存在しない場合、発光制御部１３２は、ＬＥＤ部１３４を制御しない。
【０１０６】
以上のように、図１２の制御データＰ１を含む制御信号は、第１の発光部１２Ａ、第１の発光部１２Ｂ及び第２の発光部１３に対して、積層された順に、電気的なシリアル接続によって伝達される。
【０１０７】
例えば、上述した演出装置１０は、例えば、アクセスポイントと無線接続し、アクセスポイントから制御パケットを受信する。以下、演出装置１０とアクセスポイントを含む演出システムの一例について説明する。
【０１０８】
＜演出装置を用いた演出システム＞
図１３は、本実施の形態１に係る演出システム３０の一例を示す図である。図１３には、２つの演出装置１０Ａ、１０Ｂ、アクセスポイント２０を含む。なお、演出装置１０の数は２に限定されない。例えば、演出装置１０の数は、１つでもよいし、３つ以上であってもよい。また、アクセスポイント２０の数は、１つに限定されない。例えば、アクセスポイント２０の数は、２つ以上であってもよい。
【０１０９】
＜アクセスポイントの構成＞
図１４は、本実施の形態１におけるアクセスポイント２０の構成の一例を示す図である。アクセスポイント２０は、無線部（無線回路）２０１と、発光制御部（発光制御回路）２０２と、発光部情報収集部（発光部情報収集回路）２０３と、制御部（制御回路）２０４を備える。
【０１１０】
無線部２０１は、アンテナおよび信号処理部（信号処理回路）を備える。無線部２０１は、制御部２０４の制御に基づき、各演出装置１０と無線通信を行う。無線部２０１は、例えば、特定省電力通信、無線ＬＡＮ（Local Area Network）、Bluetooth（登録商標）の通信規格または通信方式に対応する。あるいは、無線部２０１は、Bluetoothなどの通信規格よりも広いエリアをカバーするＬＰＷＡ（Low Power Wide Area）、ＬｏＲａ、ＮＢ−ＩｏＴ（Narrow Band-Internet of Things）、Ｓｉｇｆｏｘ、または、セルラ通信などの通信規格に対応してもよい。
【０１１１】
発光制御部２０２は、演出装置１０Ａ及び演出装置１０Ｂが備える発光部の制御を行う。発光制御部２０２は、各演出装置１０に送信する発光制御パケットを生成する。発光制御パケットには、演出パターンを示す制御データ（図１２参照）が含まれる。
【０１１２】
発光部情報収集部２０３は、各演出装置１０のＩＤと各演出装置１０が備える第１の発光部１２及び／または第２の発光部１３の数を収集する。具体的には、発光部情報収集部２０３は、演出装置１０Ａ及び演出装置１０Ｂに対して、発光部情報収集パケットを生成し、制御部２０４へ出力する。発光部情報収集パケットは、各演出装置１０が備える第１の発光部及び第２の発光部の数を収集するためのパケットである。
【０１１３】
発光部情報収集部２０３は、発光部情報収集パケットを受信した各演出装置１０によって送信される発光部情報通知パケットを受信する。発光部情報通知パケットについては後述する。発光部情報収集部２０３は、発光部情報通知パケットに含まれる発光部の情報を保持する。
【０１１４】
制御部２０４は、無線部２０１、発光制御部２０２及び発光情報収集部２０３を制御する。
【０１１５】
例えば、制御部２０４は、無線部２０１を介して、発光部情報収集部２０３から取得する発光部情報収集パケットを送信する。制御部２０４は、無線部２０１を介して、発光部情報通知パケットを受信し、発光部情報収集部２０３へ出力する。
【０１１６】
例えば、制御部２０４は、無線部２０１を介して、発光制御部２０２から取得する発光制御パケットを送信する。
【０１１７】
演出装置１０は、アクセスポイント２０が送信する発光部情報収集パケットを受信した場合、演出装置１０が備える第１の発光部１２の数及び／又は第２の発光部１３の数を通知してもよい。次に、演出装置１０が第１の発光部１２の数及び／又は第２の発光部１３の数を通知する発光部情報通知パケットについて説明する。
【０１１８】
＜発光部情報通知パケット＞
図１５は、本実施の形態１における発光部情報通知パケットＰ２の一例を示す図である。各演出装置１０は、図１５に示す発光部情報通知パケットＰ２を、アクセスポイント２０に対して送信する。
【０１１９】
発光部情報通知パケットＰ２は、宛先ＩＤフィールドＰ２１、送信元ＩＤフィールドＰ２２及び発光部情報フィールドＰ２３を備える。宛先ＩＤフィールドＰ２１には、発光部情報通知パケットＰ２の送信先のアクセスポイント２０を示す固有ＩＤが含まれる。送信元ＩＤフィールドＰ２２には、発光部情報通知パケットＰ２の送信元の演出装置１０を示す固有ＩＤが含まれる。発光部情報フィールドＰ２３には、送信元の演出装置１０が備える第１の発光部１２及び／又は第２の発光部１３の情報が含まれる。
【０１２０】
発光部情報フィールドＰ２３に含まれる情報は、例えば、送信元の演出装置１０が備える第１の発光部及び／又は第２の発光部の数である。あるいは、発光部情報フィールドＰ２３に含まれる情報には、送信元の演出装置１０が備える第１の発光部及び／又は第２の発光部の数と、第１の発光部及び／又は第２の発光部のアドレスであってもよい。
【０１２１】
＜制御パケット＞
図１６は、本実施の形態１における制御パケットＰ３の構成の一例を示す図である。アクセスポイント２０は、図１６に示す制御パケットＰ３を、各演出装置１０に対して送信する。
【０１２２】
制御パケットＰ３には、宛先ＩＤフィールドＰ３１、送信元ＩＤフィールドＰ３２及び発光制御情報フィールドＰ３３が含まれる。宛先ＩＤフィールドＰ３１には、制御パケットＰ３の送信先の演出装置１０を示すＩＤ（例えば、ＭＡＣアドレスおよび／またはデバイスＩＤ）が含まれる。送信元ＩＤフィールドＰ３２には、制御パケットＰ３の送信元のアクセスポイント２０を示すＩＤ（例えば、ＭＡＣアドレスおよび／またはデバイスＩＤ）が含まれる。発光制御情報フィールドＰ３３には、制御データ（図１２参照）が含まれる。
【０１２３】
なお、宛先ＩＤフィールドＰ３１には、制御パケットＰ３の送信先の演出装置１０を示すＩＤの代わりに、ブロードキャストＩＤが含まれてもよい。宛先ＩＤフィールドＰ３１にブロードキャストＩＤが含まれる制御パケットＰ３は、複数の演出装置１０（例えば、制御パケットＰ３が受信できる全ての演出装置１０）に対してブロードキャストされる。
【０１２４】
なお、宛先ＩＤフィールドＰ３１には、いくつかの演出装置１０をまとめたグループＩＤが含まれてもよい。宛先ＩＤフィールドＰ３１にグループＩＤが含まれる制御パケットＰ３は、複数の演出装置１０に対してブロードキャストされ、グループＩＤに該当する演出装置１０が発光制御情報Ｐ３３に基づいて発光を行う。
【０１２５】
なお、アクセスポイント２０は、アクセスポイント２０が制御する無線ネットワークの同期を図るため、時刻情報を含むビーコンを各演出装置１０へ送信してもよい。ビーコンを受信した各演出装置１０の制御部１１２は、演出装置１０が管理する時刻情報を、受信したビーコンに含まれる時刻情報に合わせてもよい。
【０１２６】
なお、上述の例では、アクセスポイント２０と各演出装置１０が、無線で接続する例を説明した。本開示は、これに限定されない。例えば、アクセスポイント２０と各演出装置１０が、有線で接続してもよい。あるいは、アクセスポイント２０と優先で接続する演出装置１０と、無線で接続する演出装置１０とが混在していてもよい。
【０１２７】
また、上述の例では、２つの第１の発光部１２と、１つの第２の発光部１３とを含む演出装置１０について説明した。本開示はこれに限定されない。本開示に係る演出装置は、発光部の組み合わせの変更に応じて、様々なバリエーションの構成を採る。以下では、発光部の組み合わせの異なる演出装置の例について、説明する。
【０１２８】
＜組み合わせの例＞
図１７は、本実施の形態１に係る演出装置４０の構成の別の一例を示す図である。演出装置４０は、例えば、ユーザが握って使用するペンライト形状である。
【０１２９】
演出装置４０は、演出制御部１１と、第１の発光部１２と、を備える。演出制御部１１および第１の発光部１２については、演出装置１０において説明したので説明は省略する。
【０１３０】
図１８は、本実施の形態１に係る演出装置４１の構成の別の一例を示す図である。演出装置４１は、例えば、演出装置１０と同様に、据え置きのろうそく型のＬＥＤライトである。
【０１３１】
演出装置４１は、演出制御部１１と、第２の発光部１３と、を備える。演出制御部１１および第２の発光部１３については、演出装置１０において説明したので説明は省略する。
【０１３２】
以上、説明した構成を採る演出装置では、演出制御部に対して、第１の発光部及び／又は第２の発光部を積層により取り付け及び取り外しができる。また、取り付けにおいて、出力部と入力部によって電気的なシリアル接続が形成される。この構成により、第１の発光部及び／又は第２の発光部の間の信号線を少なくでき、また、第１の発光部及び／又は第２の発光部の数が増減しても、信号線の数を変更しなくてもよい。そのため、利用シーン、ユースケース及び／又は演出の内容に応じて、発光部の数を調整することが可能となる。
【０１３３】
また、第１の発光部及び／又は第２の発光部の組み合わせを変えることによって、多様な演出を１つの演出装置で実現することが可能となる。
【０１３４】
また、演出制御部と、第１の発光部又は第２の発光部との接続、及び、第１の発光部（例えば、第１の発光部１２Ａ）と、第１の発光部（例えば、第１の発光部１２Ｂ）又は第２の発光部との接続において、ガイドＧａをガイド受けＧｂに、嵌め合わせることによって、演出装置１０の組付けを容易にできる。また、ツメＮａとツメ受けＮｂとを、嵌め合わせることによって、互いに固定できるため、演出装置の組付けを強固にできる。
【０１３５】
なお、本実施の形態では、ツメＮａとツメ受けＮｂとを嵌め合わせ、ガイドＧａとガイド受けＧｂとを嵌め合わせることによって、演出制御部と発光部を取り付ける態様を例に挙げて説明した。本開示はこれに限定されない。例えば、演出制御部と発光部の一方に溝が設けられ、他方にレールが設けられ、レールを溝に嵌め合わせることによって、演出制御部と発光部が取り付けられる態様であってもよい。あるいは、互いに異なる極性を有する磁石が演出制御部と発光部に設けられ、磁力によって、演出制御部と発光部が取り付けられる態様であってもよい。
【０１３６】
なお、上述した取り付け態様については、２つの発光部の間の取り付けにおいても同様である。
【０１３７】
（実施の形態２）
上述した実施の形態１では、制御装置（アクセスポイント２０）から受信する制御パケットに基づいて発光状態が制御される演出装置の例について説明した。本実施の形態２では、演出装置に設けられるセンサの情報と、制御パケットとに基づいて、発光状態が制御される演出装置の例について説明する。
【０１３８】
図１９は、本実施の形態２に係る演出装置４２の構成の一例を示す図である。演出装置４２は、演出制御部１５と、第１の発光部１２と、第２の発光部１３と、センサ制御部１４とを備える。なお、第１の発光部１２、及び、第２の発光部１３については、実施の形態１において説明したので説明を省略する。
【０１３９】
演出装置４２は、例えば、据え置きで使用するろうそく型のＬＥＤライトである。実施の形態１にて示した演出装置と同様に、演出装置４２において、演出制御部１５、第１の発光部１２、第２の発光部１３及びセンサ制御部（センサ制御回路）１４は、取り付け及び取り外し可能である。
【０１４０】
また、センサ制御部１４は、センサデバイス、センサユニット、センシングデバイス、または、センシングユニットと称されてもよい。
【０１４１】
図２０は、本実施の形態２に係る演出制御部１５の構成の一例を示す図である。演出制御部１５は、無線部１１１、制御部１１６、端末ＩＤ保持部１１３、電源部１１４、出力部１１７及びモード切替部（モード切替回路）１１８を備える。なお、図２０において、図２と同様の構成については同一の符番を付し、説明を省略する。
【０１４２】
モード切替部１１８は、センサ制御部１４から取得するセンサ信号を優先するモード（以下、センサ信号優先モードと記載する）、または、アクセスポイント２０（図１３参照）から受信する制御パケットを優先するモード（以下、制御信号優先モード）のいずれかのモードを示すモード情報を生成する。モード切替部１１８は、モード情報を制御部１１６へ出力する。
【０１４３】
なお、モード切替部１１８は、ユーザの操作及び／又は外部からの信号に基づいて、モード情報の生成を行ってもよい。例えば、モード切替部１１８は、演出制御部１５に備えつけられたスイッチ（例えば、ディップスイッチ）が受け付けるユーザの操作に基づいて、モード情報を生成する。あるいは、モード切替部１１８は、アクセスポイント２０から受信する信号に基づいて、モード情報を生成してもよい。
【０１４４】
制御部１１６は、実施の形態１で示した制御部１１２の機能に加えて、モード切替部１１８からのモード情報に基づいて、第１の発光部１２及び第２の発光部１３を制御する。
【０１４５】
制御部１１６は、モード情報がセンサ信号優先モードを示す場合、アクセスポイント２０（図１３参照）から受信する制御パケットの有無に関わらず、センサ信号に基づいて、第１の発光部１２及び第２の発光部１３の発光（点灯または消灯）を制御する。この場合、制御部１１６は、予め決められたセンサ信号優先モード用の制御データを含む制御信号を出力部１１７を介して、第１の発光部１２及び第２の発光部１３へ出力する。
【０１４６】
制御部１１６は、モード情報が制御信号優先モードを示す場合、アクセスポイント２０からの制御パケットに基づいて、第１の発光部１２及び第２の発光部１３の発光（点灯または消灯）を制御する。
【０１４７】
なお、センサ信号優先モードまたは制御信号優先モードは、発光部毎に独立して設定されてもよい。例えば、第１の発光部１２がセンサ信号優先モードに設定され、第２の発光部１３が制御信号優先モードに設定されてもよい。この場合、制御部１１６は、第１の発光部１２をセンサ信号に基づいて制御し、第２の発光部１３を制御パケットに基づいて制御する。
【０１４８】
出力部１１７は、制御部１１６からの制御データを含む制御信号をセンサ制御部１４へ出力する。また、出力部１１７は、センサ制御部１４からセンサ信号を取得し、制御部１１６へ出力する。
【０１４９】
図２１は、本実施の形態２に係るセンサ制御部１４の構成の一例を示す図である。センサ制御部１４は、入力部（入力端子）１４１、センサ信号制御部（センサ信号制御回路）１４２、センサ部（センサ回路）１４３及び出力部（出力端子）１４４を備える。
【０１５０】
入力部１４１は、演出制御部１５から制御信号を取得し、センサ信号制御部１４２へ出力する。なお、入力部１４１は、信号の入力と信号の出力を行う端子であってもよい。入力部１４１は、センサ信号制御部１４２からセンサ信号を取得し、演出制御部１５へ出力する。
【０１５１】
センサ部１４３は、例えば、人感センサ、温度センサ、湿度センサ、ガスセンサ、及び、照度センサのいずれか一つ又は複数のセンサを備える。センサ部１４３は、検知する情報をセンサ信号制御部１４２へ出力する。
【０１５２】
センサ信号制御部１４２は、センサ部１４３から取得する情報に基づき、演出装置４２における発光制御のトリガを示すセンサ信号を生成する。
【０１５３】
なお、演出装置４２における発光制御のトリガとは、演出装置４２における発光制御を開始するトリガ、発光制御を終了するトリガ、および、発光制御を切替える（発光部の発光状態を切替える）トリガのいずれか少なくとも１つであってもよい。
【０１５４】
例えば、演出装置４２における発光制御のトリガとは、センサ部１４３から取得する情報が所定の条件を満たすことに対応する。例えば、センサ部１４３が温度センサを備える場合、センサ部１４３から取得する温度が所定値以上であるという条件を満たすことが、発光制御のトリガとなる。また、例えば、センサ部１４３が人感センサを備える場合、人感センサの検知範囲に人が検知されたという条件を満たすことが、演出装置４２における発光制御のトリガとなる。
【０１５５】
センサ信号制御部１４２は、センサ信号を入力部１４１へ出力する。また、センサ信号制御部１４２は、入力部１４１から取得する制御信号を出力部１４４へ出力する。
【０１５６】
出力部１４４は、センサ信号制御部１４２から取得する制御信号を第１の発光部１２へ出力する。
【０１５７】
なお、センサ制御部１４では、制御信号に対しては転送処理を行う。また、センサ制御部１４では、実施の形態１において示した数量確認用制御コマンド、及び、数量確認用制御コマンドに対する応答に対しても、転送処理を行う。
【０１５８】
なお、センサ制御部１４の外観については、第１の発光部１２と同様であるので、詳細な説明は省略する。ただし、センサ制御部１４にはアドレス保持部１２３が無い点及びセンサ制御部１４の側面は発光しない点は、第１の発光部１２と相違している。
【０１５９】
以上、説明した、実施の形態２に係る演出装置は、実施の形態１と同様に、第１の発光部及び／又は第２の発光部を縦続して接続できるため、第１の発光部及び／又は第２の発光部の間の信号線を少なくでき、また、第１の発光部及び／又は第２の発光部の数が増減しても、信号線の数を変更しなくてもよい。そのため、利用シーン、ユースケース及び／又は演出の内容に応じて、第１の発光部及び／又は第２の発光部の数を調整することが可能となる。
【０１６０】
また、実施の形態２に係る演出装置は、実施の形態１と同様に、第１の発光部及び／又は第２の発光部の組み合わせを変えることによって、多様な演出を１つの演出装置で実現することが可能となる。
【０１６１】
また、実施の形態２に係る演出装置は、制御装置（アクセスポイント２０）から受信する制御パケットと、演出装置に設けられるセンサの情報とに基づいて、発光状態を制御できるため、更に、多様な演出を１つの演出装置で実現することが可能となる。
【０１６２】
なお、本実施の形態２では、センサ制御部１４が、演出制御部１５と第１の発光部１２の間に接続される例について説明した。本開示はこれに限定されない。センサ制御部１４は、第２の発光部１３と第１の発光部１２の間に接続されていてもよい。
【０１６３】
また、本実施の形態２では、センサ制御部１４が、演出制御部１５および発光部と別の構成（別のユニット）である例について説明した。本開示はこれに限定されない。例えば、センサ制御部１４の機能が、演出制御部１５に含まれていてもよい。あるいは、センサ制御部１４の機能が、少なくとも１つの発光部に含まれていてもよい。
【０１６４】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６５】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【０１６６】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【０１６７】
なお、本開示は、無線通信装置、または制御装置において実行される制御方法として表現することが可能である。また、本開示は、かかる制御方法をコンピュータにより動作させるためのプログラムとして表現することも可能である。更に、本開示は、かかるプログラムをコンピュータによる読み取りが可能な状態で記録した記録媒体として表現することも可能である。すなわち、本開示は、装置、方法、プログラム、記録媒体のうち、いずれのカテゴリーにおいても表現可能である。
【０１６８】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０１６９】
＜本開示のまとめ＞
本開示における演出装置は、制御信号を出力する第１出力端子を有する制御ユニットと、前記制御信号が入力される第１入力端子を有し、前記制御ユニットに対して積層による取り付け及び取り外しに対応した第１から第Ｎ（Ｎは１以上の整数）の発光ユニットと、を備え、前記制御信号は、前記第１から前記第Ｎの発光ユニットに対して、積層された順に、電気的なシリアル接続によって、伝達される。
【０１７０】
本開示の演出装置において、前記積層された前記第１から前記第Ｎの発光ユニットのそれぞれは、アドレス情報を前記制御ユニットに送信し、前記制御ユニットは、前記第１から前記第Ｎの発光ユニットの前記アドレス情報に基づいて、前記積層された前記第１から前記第Ｎの発光ユニットの個数を判断する。
【０１７１】
本開示の演出装置において、前記第１から前記第Ｎの発光ユニットの少なくとも１つの発光状態が、前記個数に基づいた前記制御信号を用いて制御される。
【０１７２】
本開示の演出装置において、前記積層された前記第１から前記第Ｎの発光ユニットのうち、少なくとも前記第１から第Ｎ−１の発光ユニットは、前記制御信号を出力する第２出力端子を有し、前記積層された前記第１から前記第Ｎ−１の発光ユニットの前記第１入力端子と前記第２出力端子とは、前記積層の方向に対して、同じ軸上に配置されている。
【０１７３】
本開示の演出装置において、前記第１から前記第Ｎの発光ユニットの少なくとも１つは、前記積層の方向に軸を有する円柱形状を備える。
【０１７４】
本開示の演出装置において、前記演出装置は、ろうそくを模した外観を有する。
【０１７５】
本開示の演出装置において、前記制御ユニットは、前記第１から前記第Ｎの発光ユニットの少なくとも１つの発光状態を制御するパターンを示す情報を受信する無線部と、前記パターンを示す情報に基づいて前記制御信号を生成して前記第１出力端子から出力する制御信号生成部を備える。
【０１７６】
本開示の演出装置において、前記制御ユニット、または、前記第１から第Ｎの発光ユニットのいずれかに積層され、演出装置周辺の環境をセンシングするセンサユニットを備え、前記制御ユニットは、前記センサユニットにおけるセンシング結果に基づいて、前記制御信号を生成する。
【産業上の利用可能性】
【０１７７】
本開示は、組み替えが可能なペンライト等の演出装置に有用である。
【符号の説明】
【０１７８】
１０、４０、４１、４２  演出装置
１１、１５  演出制御部
１２、１２Ａ、１２Ｂ  第１の発光部
１３  第２の発光部
１３ａ  頭部
１４  センサ制御部
２０  アクセスポイント
３０  演出システム
１１１、２０１  無線部
１１２、１１６、２０４  制御部
１１３  端末ＩＤ保持部
１１４  電源部
１１５、１１７、１２５、１２５Ａ、１２５Ｂ、１４４  出力部
１１８  モード切替部
１２１、１２１Ａ、１２１Ｂ、１３１、１４１  入力部
１２２、１２２Ａ、１２２Ｂ、１３２、２０２  発光制御部
１２３、１２３Ａ、１２３Ｂ、１３３  アドレス保持部
１２４、１２４Ａ、１２４Ｂ、１３４  ＬＥＤ部
１４２  センサ信号制御部
１４３  センサ部
２０３  発光部情報収集部
【図１】
2019154649.tif 000003
【図２】
2019154649.tif 000004
【図３】
2019154649.tif 000005
【図４】
2019154649.tif 000006
【図５】
2019154649.tif 000007
【図６】
2019154649.tif 000008
【図７】
2019154649.tif 000009
【図８】
2019154649.tif 000010
【図９】
2019154649.tif 000011
【図１０】
2019154649.tif 000012
【図１１】
2019154649.tif 000013
【図１２】
2019154649.tif 000014
【図１３】
2019154649.tif 000015
【図１４】
2019154649.tif 000016
【図１５】
2019154649.tif 000017
【図１６】
2019154649.tif 000018
【図１７】
2019154649.tif 000019
【図１８】
2019154649.tif 000020
【図１９】
2019154649.tif 000021
【図２０】
2019154649.tif 000022
【図２１】
2019154649.tif 000023